(57)【要約】【課題】電子機器において、回路基板のグランド領域と筺体とを電気的に接続するための部品点数を削減し、かつ、作業性を向上させると共に、構成を間単にする。【解決手段】電子機器であるＤＶＤプレイヤ１は、電子部品が実装される回路基板６と、回路基板６を収納する金属製の筺体２と、回路基板６のグランド領域６２と筺体２とを電気的に接続するための導電性を有するグランド接続用部材８とを備える。グランド接続用部材８は、回路基板６のグランド領域６２に半田付けされて接合される基板接合部８１と、筺体２のリアパネル２４に当接される筺体当接部８２とを有する。グランド接続用部材８が接合された回路基板６を筺体２内に収納するとき、筺体２のリアパネル２４がグランド接続用部材８の筐体当接部８２を押圧した状態になり、グランド接続用部材８の筐体当接部８２は、リアパネル２４に押圧されて、リアパネル２４に当接した状態になる。【選択図】図２
2009176774.tif 000002
【特許請求の範囲】
【請求項１】
電子部品が実装される回路基板と、前記回路基板を収納する金属製の筺体と、を備える電子機器において、
前記回路基板のグランド領域と前記筺体とを電気的に接続するための導電性を有するグランド接続用部材を備え、
前記グランド接続用部材は、前記回路基板のグランド領域に半田付けされて接合される基板接合部と、前記筺体に当接される筺体当接部とを有する、
ことを特徴とする電子機器。
【請求項２】
前記筐体は、前記回路基板の収納時に、前記グランド接続用部材の筐体当接部を押圧した状態になり、
前記グランド接続用部材の筐体当接部は、前記筺体に押圧されて、前記筐体に当接した状態になる、
ことを特徴とする請求項１に記載の電子機器。
【請求項３】
前記グランド接続用部材の筺体当接部は、それぞれ独立して変形可能であると共に独立して前記筺体に当接され得る複数の部分当接子を有する、
ことを特徴とする請求項２に記載の電子機器。
【発明の詳細な説明】
【技術分野】
【０００１】
本発明は、筺体内に回路基板を収納する電子機器に関するものである。
【背景技術】
【０００２】
従来から、例えば、ＤＶＤプレイヤやプロジェクタ等の電子機器は、電子部品が実装される回路基板を筺体内に収納している。また、このような電子機器において、筺体を金属製のものとし、回路基板のグランド領域と筺体とを電気的に接続するようにしたものがある。このような電子機器としては、図６に示す構成のものが知られている。
【０００３】
図６に示す電子機器９０は、金属製の筺体９１内に回路基板９２を収納しており、グランド接続用部材９３により、回路基板９２のグランド領域９４と筺体９１とを電気的に接続している。筺体９１は、分割可能なトップパネル９５、アンダーパネル９６、リアパネル９７、及びフロントパネル（不図示）により構成されている。回路基板９２は、アンダーパネル９６に固定された基板ホルダ９８に保持されており、基板ホルダ９８を介してアンダーパネル９６に固定されている。
【０００４】
グランド接続用部材９３は、板金を折り曲げ加工して形成したものであり、ビス９９ａによって、回路基板９２のグランド領域９４にビス止めされると共に、ビス９９ｂによって、リアパネル９７（筺体９１）にビス止めされている。グランド接続用部材９３をビス９９ａ、９９ｂによって回路基板９２のグランド領域９４及びリアパネル９７にビス止めすることにより、グランド接続用部材９３が回路基板９２のグランド領域９４及びリアパネル９７に接触する状態に取付けられ、回路基板９２のグランド領域９４とリアパネル９７とがグランド接続用部材９３によって電気的に接続される。
【０００５】
一方、弾性的な導電体が設けられたメタル部材をビスによってメタルカバーにビス止めすることにより、メタルカバーに設けられた弾性的な導電体を回路基板のグランド領域に接触させて、回路基板のグランド領域とメタルカバーとを電気的に接続するようにした電子機器が知られている（例えば特許文献１参照）。また、アースプレートを展開することによって、半田量を確保して、回路基板と金属シャーシとを半田により接合するようにした電子機器が知られている（例えば特許文献２参照）。また、液晶パネルを支持するパネル固定板金に折返し片及び凸部を形成すると共に、回路基板の表裏面に半田盛を形成し、回路基板に形成した半田盛の部分をパネル固定板金の折返し片及び凸部の作る隙間に挿入することにより、回路基板をパネル固定板金に固定すると共に回路基板とパネル固定板金とを電気的に接続するようにした電子機器が知られている（例えば特許文献３参照）。また、回路基板と導電性のパネルをビスによって絶縁ケースに共締めして、回路基板と導電性のパネルを電気的に接続するようにした電子機器が知られている（例えば特許文献４参照）。
【特許文献１】特開２００５−２１５１８５号公報
【特許文献２】特開２００１−６０８８６号公報
【特許文献３】特開２００７−１１６５５６号公報
【特許文献４】特開２００７−５９０７０号公報
【発明の開示】
【発明が解決しようとする課題】
【０００６】
ところが、上述した従来の電子機器９０においては、グランド接続用部材９３をビス９９ａ、９９ｂによってビス止めすることにより、回路基板９２のグランド領域９４と筺体９１（リアパネル９７）とを電気的に接続するようになっている。このため、回路基板９２のグランド領域９４と筺体９１とを電気的に接続するための部品点数が多く、コストが高くなる。また、ビス止めの作業が煩雑であるため、回路基板９２のグランド領域９４と筺体９１とを電気的に接続するための作業性が低く、コストが高くなる。
【０００７】
そこで、ビス止めによらずに回路基板９２のグランド領域９４と筺体９１とを電気的に接続するようにして、部品点数を削減することが考えられる。この場合、コストを低くするためには、容易に回路基板９２のグランド領域９４と筺体９１とを電気的に接続できるようにして、作業性を向上させる必要があると共に、構成が複雑化することなく、従来の構成をできるだけ変更しないようにして、簡単な構成によって実現する必要がある。なお、上述した特許文献１乃至特許文献４に開示の内容を適用したとしても、上記の問題を解決することはできない。
【０００８】
本発明は、上記課題を解決するためになされたものであり、回路基板のグランド領域と筺体とを電気的に接続するための部品点数を削減し、かつ、回路基板のグランド領域と筺体とを電気的に接続するための作業性を向上させると共に、回路基板のグランド領域と筺体とを電気的に接続するための構成を簡単な構成によって実現して、コストダウンを図ることができる電子機器を提供することを目的とする。
【課題を解決するための手段】
【０００９】
上記目的を達成するために請求項１の発明は、電子部品が実装される回路基板と、回路基板を収納する金属製の筺体と、を備える電子機器において、回路基板のグランド領域と筺体とを電気的に接続するための導電性を有するグランド接続用部材を備え、グランド接続用部材は、回路基板のグランド領域に半田付けされて接合される基板接合部と、筺体に当接される筺体当接部とを有するものである。
【００１０】
請求項２の発明は、請求項１に記載の電子機器において、筐体は、回路基板の収納時に、グランド接続用部材の筐体当接部を押圧した状態になり、グランド接続用部材の筐体当接部は、筺体に押圧されて、筐体に当接した状態になるものである。
【００１１】
請求項３の発明は、請求項２に記載の電子機器において、グランド接続用部材の筺体当接部は、それぞれ独立して変形可能であると共に独立して筺体に当接され得る複数の部分当接子を有するものである。
【発明の効果】
【００１２】
請求項１の発明によれば、グランド接続用部材の基板接合部を回路基板のグランド領域に半田付けして接合すると共に、グランド接続用部材の筺体当接部が筺体に当接されることにより、回路基板のグランド領域と筺体とが電気的に接続される。従って、従来のグランド接続用部材をビス止めする構成と比較して、回路基板のグランド領域と筺体とを電気的に接続するための部品点数を削減することができる。しかも、容易に回路基板のグランド領域と筺体とを電気的に接続することができ、回路基板のグランド領域と筺体とを電気的に接続するための作業性を向上させることができる。また、構成が複雑化することなく、グランド接続用部材の他には、従来の構成を変更する必要がなく、回路基板のグランド領域と筺体とを電気的に接続するための構成を簡単な構成によって実現することができる。これにより、コストダウンを図ることができる。
【００１３】
請求項２の発明によれば、グランド接続用部材の筺体当接部は、筺体に押圧されて筐体に当接した状態になるため、より確実に、グランド接続用部材と筺体とを接触した状態にすることができ、より確実に、回路基板のグランド領域と筺体とを電気的に接続した状態にすることができる。しかも、グランド接続用部材が半田付けにより接合された回路基板を筺体内に収納するときに、グランド接続用部材の筺体当接部が筺体に押圧されて筐体に当接した状態になるため、回路基板のグランド領域と筺体とを電気的に接続するための作業性をより一層向上させることができる。
【００１４】
請求項３の発明によれば、グランド接続用部材の筺体当接部が筺体に押圧されたとき、筺体当接部のそれぞれの部分当接子が独立して筺体に押圧されて変形して、筺体当接部のそれぞれの部分当接子が独立して筺体に当接した状態になる。従って、グランド接続用部材の筺体当接部と筺体との接触面積を大きくすることができ、より確実に、回路基板のグランド領域と筺体とを電気的に接続した状態にすることができる。また、電子機器を組立てる前に、何らかの物体（組立作業者の手や別の組立部材）が不意にグランド接続用部材の筺体当接部に接触して、筺体当接部が変形する事態になったとしても、筺体当接部の複数の部分当接子のうち、物体が接触した部分当接子だけが独立して変形することになり、物体が接触しなかった他の部分当接子は変形しない。この変形しなかった部分当接子は、電子機器を組立てたときに、筺体に押圧されて筺体に当接するように正常に機能する。従って、電子機器の組立作業中に、何らかの物体が不意にグランド接続用部材の筺体当接部に接触して部分当接子の一部が変形したとしても、支障を生じることなく電子機器の組立作業を継続できる可能性が高く、電子機器を組立てるための作業性を向上させることができる。
【発明を実施するための最良の形態】
【００１５】
以下、本発明を具体化した実施形態による電子機器について図面を参照して説明する。図１、図２（ａ）（ｂ）は、本実施形態による電子機器であるＤＶＤプレイヤの構成を示す。ＤＶＤプレイヤ１は、ＤＶＤから情報を再生する電子機器である。
【００１６】
ＤＶＤプレイヤ１は、図１に示すように、筺体２と、ＤＶＤ挿入口３と、操作スイッチ４と、液晶表示部５等を備える。筺体２は、金属製であり、分割可能なフロントパネル２１、トップパネル２２、アンダーパネル２３、リアパネル２４により構成されている。ＤＶＤ挿入口３、操作スイッチ４、及び液晶表示部５は、フロントパネル２１に設けられている。
【００１７】
また、ＤＶＤプレイヤ１は、図２（ａ）（ｂ）に示すように、筺体２内に、回路基板６と、基板ホルダ７と、グランド接続用部材８等を備える。すなわち、筺体２は、回路基板６、基板ホルダ７、及びグランド接続用部材８等を収納している。
【００１８】
回路基板６は、いわゆるＰＣＢ基板であり、剛性を有する絶縁性基板６１に、回路配線（不図示）及びグランド領域６２が形成された構造になっている。また、回路基板６には、各種電子部品（不図示）が実装されている。基板ホルダ７は、筺体２のアンダーパネル２３に固定されており、回路基板６をリアパネル２４の上壁部２４ａの内面に対して平行となる姿勢で保持している。すなわち、回路基板６は、基板ホルダ７を介して、リアパネル２４の上壁部２４ａの内面に対して平行となる姿勢で、アンダーパネル２３に固定されている。
【００１９】
グランド接続用部材８は、回路基板６のグランド領域６２と筺体２とを電気的に接続するためのものである。グランド接続用部材８は、導電性を有しており、回路基板６のグランド領域６２に半田８９により半田付けされて接合されていると共に、筺体２のリアパネル２４の上壁部２４ａの内面に押圧されて当接されている（図２（ｂ）参照）。すなわち、ＤＶＤプレイヤ１では、グランド接続用部材８によって、回路基板６のグランド領域６２と筺体２のリアパネル２４とが電気的に接続されている。
【００２０】
図３は、グランド接続用部材８の構成を示す。グランド接続用部材８は、導電性を有するステンレス等の材料により一体的に形成されており、基板接合部８１と、筺体当接部８２と、中間繋ぎ部８３とを有する。基板接合部８１は、回路基板６のグランド領域６２に半田付けされて接合される部分である。筺体当接部８２は、リアパネル２４の上壁部２４の内面に当接される部分である。中間繋ぎ部８３は、基板接合部８１と筺体当接部８２の中間にある部分である。
【００２１】
筺体当接部８２及び中間繋ぎ部８３は、薄く形成されている。筺体当接部８２及び中間繋ぎ部８３は、薄く形成されていることにより、変形（弾性変形及び塑性変形）可能になっている。中間繋ぎ部８３は、途中で折り曲げられている。
【００２２】
筺体当接部８２は、複数の部分当接子８２ａを有する。複数の部分当接子８２ａは、筺体当接部８２に複数の切込み８２ｂを設けることによって形成されている。各部分当接子８２ａは、隣接する部分当接子８２ａとの間に切込み８２ｂがあることにより、それぞれ独立して変形可能になっている。従って、各部分当接子８２ａは、リアパネル２４の上壁部２４ａの内面に押圧されたときに、それぞれ独立して変形して、それぞれ独立してリアパネル２４の上壁部２４の内面に当接され得るようになっている。
【００２３】
図４は、グランド接続用部材８を回路基板６に接合したときの構成を示す。グランド接続用部材８は、ＤＶＤプレイヤ１を組立てる前（回路基板６を筺体２内に収納する前）において、基板接合部８１が回路基板６のグランド領域６２に半田８９により半田付けされて接合される。
【００２４】
このとき、グランド接続用部材８は、複数の部分当接子８２ａの配列方向が回路基板６と概ね平行となる姿勢で、回路基板６のグランド領域６２に接合される。また、グランド接続用部材８は、筺体当接部８２が回路基板６に対して傾斜して、筺体当接部８２の先端側が最も高くなる（最も回路基板６から離れる）姿勢で、回路基板６のグランド領域６２に接合される。さらに、グランド接続用部材８は、筺体当接部８２が回路基板６のリア側の端縁６ａ（ＤＶＤプレイヤ１を組立てたときのリアパネル２４の側壁部２４ｂに対抗する端縁）から中央側に向かうにつれて高くなる（回路基板６から離れる）ように傾斜する姿勢で、回路基板６のグランド領域６２に接合される。
【００２５】
グランド接続用部材８は、このように回路基板６に接合したときの回路基板６から筺体当接部８２の先端側までの高さＴ１が、ＤＶＤプレイヤ１を組立てたときの回路基板６からリアパネル２４の上壁部２４ａの内面までの高さＴ２よりも高くなるように、その寸法が設計されている。
【００２６】
図５（ａ）（ｂ）（ｃ）は、ＤＶＤプレイヤ１の組立方法を示す。ＤＶＤプレイヤ１は、以下のようにして組立てられる。
【００２７】
まず、グランド接続用部材８の基板接合部８１を回路基板６のグランド領域６２に半田付けして接合し、そのグランド接続用部材８を接合した回路基板６を基板ホルダ７に装着（すなわちアンダーパネル２３に固定）した後、フロントパネル２１及びトップパネル２２をアンダーパネル２３に結合する（図５（ａ）参照）。
【００２８】
この状態では、リアパネル２４は、トップパネル２２及びアンダーパネル２３に結合されておらず、グランド接続用部材８は、筺体２から露呈された状態になっている。そして、グランド接続用部材８の筺体当接部８２は、結合されるリアパネル２４の側壁部２４ｂから遠ざかるにつれてリアパネル２４の上壁部２４ａに近づくように傾斜しており、筺体当接部８２の先端側は、リアパネル２４を結合したときのリアパネル２４の上壁部２４ａの内面よりも高い位置になっている。
【００２９】
続いて、リアパネル２４の上壁部２４ａの内面をグランド接続用部材８の筺体当接部８２の先端側に接触させる（図５（ｂ）参照）。このとき、グランド接続用部材８の筺体当接部８２は、リアパネル２４の側壁部２４ｂから遠ざかるにつれてリアパネル２４の上壁部２４ａに近づくように傾斜しているため、グランド接続用部材８の筺体当接部８２の先端側がリアパネル２４の上壁部２４ａの端縁２４ｃに引っ掛かることがない。従って、容易に、リアパネル２４の上壁部２４ａの内面をグランド接続用部材８の筺体当接部８２の先端側に接触させることができる。
【００３０】
そして、リアパネル２４の上壁部２４ａの内面でグランド接続用部材８の筺体当接部８２の先端側を押圧しつつ、リアパネル２４をトップパネル２２及びアンダーパネル２３に結合する（図５（ｃ）参照）。これにより、グランド接続用部材８を接合した回路基板６が筺体２内に収納され、ＤＶＤプレイヤ１が組立てられた状態となる。この状態では、リアパネル２４の上壁部２４ａの内面は、グランド接続用部材８の筐体当接部８２の各部分当接子８２ａの先端側を押圧した状態になり、グランド接続用部材８の各部分当接子８２ａは、それぞれリアパネル２４の上壁部２４ａの内面に押圧されて、それぞれリアパネル２４の上壁部２４ａの内面に当接した状態になる。ＤＶＤプレイヤ１は、このようにして組立てられる。
【００３１】
このようにして組立てられたＤＶＤプレイヤ１は、グランド接続用部材８の基板接合部８１が回路基板６のグランド領域６２に半田８９により半田付けされて接合されていると共に、グランド接続用部材８の各部分当接片８２ａが筺体２のリアパネル２４の上壁部２４ａの内面に押圧されて当接された状態になり、グランド接続用部材８によって、回路基板６のグランド領域６２とリアパネル２４とが電気的に接続された状態になる。
【００３２】
このように、上記構成のＤＶＤプレイヤ１によれば、グランド接続用部材８の基板接合部８１を回路基板６のグランド領域６２に半田付けして接合すると共に、グランド接続用部材８の筺体当接部８２がリアパネル２４に当接されることにより、回路基板６のグランド領域６２とリアパネル２４とが電気的に接続される。
【００３３】
従って、従来のビス止めする構成と比較して、回路基板６のグランド領域６２とリアパネル２４とを電気的に接続するための部品点数を削減することができる。しかも、容易に回路基板６のグランド領域６２とリアパネル２４とを電気的に接続することができ、回路基板６のグランド領域６２とリアパネル２４とを電気的に接続するための作業性を向上させることができる。また、回路基板６のグランド領域６２とリアパネル２４とを電気的に接続するための構成を簡単な構成によって実現することができる。
【００３４】
また、グランド接続用部材８の筺体当接部８２は、リアパネル２４に押圧されてリアパネル２４に当接した状態になるため、より確実に、グランド接続用部材８とリアパネル２４とを接触した状態にすることができ、より確実に、回路基板６のグランド領域６２とリアパネル２４とを電気的に接続した状態にすることができる。
【００３５】
しかも、リアパネル２４をトップパネル２２及びアンダーパネル２３に結合する作業（グランド接続用部材８が接合された回路基板６を筺体２内に収納する作業）を行うだけで、グランド接続用部材８の筺体当接部８２がリアパネル２４に押圧されてリアパネル２４に当接した状態になるため、回路基板６のグランド領域６２とリアパネル２４とを電気的に接続するための作業性をより一層向上させることができる。
【００３６】
さらに、グランド接続用部材８の筺体当接部８２が複数の部分当接子８２ａを有するため、グランド接続用部材８の筺体当接部８がリアパネル２４に押圧されたとき、筺体当接部８のそれぞれの部分当接子８２ａが独立してリアパネル２４に押圧されて変形して、それぞれの部分当接子８２ａが独立してリアパネル２４に当接した状態になる。従って、グランド接続用部材８の筺体当接部８２とリアパネル２４との接触面積を大きくすることができ、より確実に、回路基板６のグランド領域６２とリアパネル２４とを電気的に接続した状態にすることができる。
【００３７】
また、グランド接続用部材８の筺体当接部８２が複数の部分当接子８２ａを有するため、ＤＶＤプレイヤ１を組立てる前に、何らかの物体（組立作業者の手や別の組立部材）が不意にグランド接続用部材８の筺体当接部８２に接触して、筺体当接部８２が変形する事態になったとしても、筺体当接部８２の複数の部分当接子８２ａのうち、物体が接触した部分当接子８２ａだけが独立して変形することになり、物体が接触しなかった他の部分当接子８２ａは変形しない。この変形しなかった部分当接子８２ａは、ＤＶＤプレイヤ１を組立てたときに、リアパネル２４に押圧されてリアパネル２４に当接するように正常に機能する。従って、ＤＶＤプレイヤの組立作業中に、何らかの物体が不意にグランド接続用部材８の筺体当接部８２に接触したとしても、支障を生じることなくＤＶＤプレイヤ１の組立作業を継続できる可能性が高く、ＤＶＤプレイヤ１を組立てるための作業性を向上させることができる。
【００３８】
なお、本発明は、上記実施形態の構成に限られず、種々の変形が可能である。例えば、グランド接続用部材は、リアパネルの上壁部の内面に限られず、リアパネルの側壁部の内面に当接されるようになっていてもよく、また、トップパネルやアンダーパネルの内面に当接されるようになっていてもよい。また、筺体が所定の機能を実現するため（例えば、筺体を補強するため、筺体内の空間を区画するため、筺体内において電子部品等の部材を保持するため等）の機能部を一体的に有している場合には、グランド接続用部材は、それらの機能部（すなわち筺体の一部）に当接されるようになっていてもよい。
【００３９】
また、グランド接続用部材の形状は、上記実施形態の形状に限られず、グランド接続用部材の少なくとも一部が回路基板のグランド領域に半田付けにより接合されるようになっており、そして、グランド接続用部材が接合された回路基板を筺体内に収納するときに、グランド接続用部材の残りの一部が筺体に当接されるようになっていればよい。また、グランド接続用部材は、全体が弾性変形又は塑性変形可能になっていてもよいし、筐体当接部や中間繋ぎ部の一部分が弾性変形又は塑性変形可能になっていてもよい。また、グランド接続用部材は、筺体当接部（各部分当接子）の先端が筺体に当接する構成に限られず、筺体当接部（各部分当接子）が途中で屈曲又は湾曲した形状になっていて、それら屈曲部分又は湾曲部分が筺体に当接されるようになっていてもよい。また、本発明は、ＤＶＤプレイヤに限られず、例えばプロジェクタやプリンタ等、筺体内に回路基板を収納する電子機器であれば、どのような電子機器にも適用可能である。
【図面の簡単な説明】
【００４０】
【図１】本発明の一実施形態に係るＤＶＤプレイヤの全体構成を示す斜視図。
【図２】（ａ）は同ＤＶＤプレイヤの要部構成を拡大して示す破断した斜視図、（ｂ）は同断面図。
【図３】同ＤＶＤプレイヤのグランド接続用部材の斜視図。
【図４】同ＤＶＤプレイヤのグランド接続用部材を回路基板に接合したときの側面図。
【図５】（ａ）（ｂ）（ｃ）は同ＤＶＤプレイヤの組立方法を示す断面図。
【図６】従来の電子機器の構成を示す破断した斜視図。
【００４１】
１    ＤＶＤプレイヤ（電子機器）
２    筺体
３    ＤＶＤ挿入口
４    操作スイッチ
５    液晶表示部
６    回路基板
６ａ    回路基板のリア側の端縁
７    基板ホルダ
８    グランド接続用部材
２１  フロントパネル
２２  トップパネル
２３  アンダーパネル
２４  リアパネル
２４ａ    リアパネルの上壁部
２４ｂ    リアパネルの側壁部
２４ｃ    リアパネルの上壁部の端縁
６１    絶縁性基板
６２    グランド領域
８１    基板接合部
８２    筺体当接部
８２ａ    部分当接子
８２ｂ    切込み
８３    中間繋ぎ部
８９    半田
【図１】
2009176774.tif 000003
【図２】
2009176774.tif 000004
【図３】
2009176774.tif 000005
【図４】
2009176774.tif 000006
【図５】
2009176774.tif 000007
【図６】
2009176774.tif 000008